(57)【要約】【課題】カードの抜き差しを適切なタイミングでユーザに促すカード挿抜通知装置を提供する。【解決手段】この発明のカード挿抜通知装置によれば、カードとの通信状態が不良であると検出した回数が所定回数より多くなった場合に、カードの排出および再挿入を促す通知を行うよう指示を行い、カードの排出および挿入を検出すると、カードの排出および再挿入を促す通知を停止するようにして、カードの抜き差しを適切なタイミングでユーザに促すことにより、カードの抜き差しを行うだけでユーザが簡単に解決することができるような導通不良による不具合であった場合に、メーカーやディーラー等の手を煩わせることなく、ユーザ自らが即座に不具合を解消することができるので、利便性が向上する。【選択図】図２
2015069211.tif 000002
【特許請求の範囲】
【請求項１】
外部からカードが挿入され、当該カードと情報のやりとりを行う電子機器に搭載されたカード挿抜通知装置であって、
外部から挿入された前記カードと前記電子機器本体とを電気的に接続するカードソケットと、
前記カードソケットに挿入された前記カードと前記電子機器との通信状態と、前記カードソケットへの前記カードの挿入および前記カードソケットからの前記カードの排出とを検出するとともに、当該検出結果に応じて、外部へ情報を通知するよう指示を行う電子制御部と、
前記電子制御部からの指示を受けて、出力部に対して外部へ通知する情報を出力する出力制御部と、
前記出力制御部から取得した情報を外部へ通知する出力部と、を備え、
前記電子制御部は、前記通信状態が不良であると検出した回数が所定回数より多くなった場合に、前記カードの排出および再挿入を促す通知を行うよう指示を行い、前記カードの排出および挿入を検出すると、前記カードの排出および再挿入を促す通知を停止する
ことを特徴とするカード挿抜通知装置。
【請求項２】
前記電子制御部は、
前記通信状態が不良であると検出した回数が所定回数より多くなった場合に、前記電子機器の機能を停止させる機能制限モードに前記電子機器を移行させてから、前記カードの排出および再挿入を促す通知を行うよう指示を行い、
前記カードの排出および挿入を検出すると、前記カードの排出および再挿入を促す通知を停止し、前記機能制限モードを解除する
ことを特徴とする請求項１記載のカード挿抜通知装置。
【請求項３】
外部からカードが挿入され、当該カードと情報のやりとりを行う電子機器に搭載されたカード挿抜通知装置であって、
外部から挿入された前記カードと前記電子機器本体とを電気的に接続可能なカードソケットと、
現在の年月日情報を取得する現在時刻取得部と、
前記カードソケットへの前記カードの挿入および前記カードソケットからの前記カードの排出を検出するとともに、当該検出結果に応じて、外部へ情報を通知するよう指示を行う電子制御部と、
前記電子制御部からの指示を受けて、出力部に対して外部へ通知する情報を出力する出力制御部と、
前記出力制御部から取得した情報を外部へ通知する出力部と、を備え、
前記電子制御部は、カードの排出および挿入を検出した年月日情報を記憶するカード挿抜日記憶部を有し、前記現在時刻取得部が取得した年月日情報が、前記カード挿抜日記憶部に記憶されている前回カードの排出および挿入を検出したカード挿抜日から所定の挿抜周期以上経過している場合に、前記カードの排出および再挿入を促す通知を行うよう指示を行い、前記カードの排出および挿入を検出すると、前記カードの排出および再挿入を促す通知を停止する
ことを特徴とするカード挿抜通知装置。
【請求項４】
前記電子制御部は、
前記カードソケットに挿入された前記カードの型名を取得するとともに、前記カードの型名ごとに推奨する挿抜周期を対応付けたカード情報テーブルをさらに有しており、
外部から前記カードソケットに前記カードが挿入されると、当該カードの型名が前記カード情報テーブルに存在するか否かを判断し、存在する場合には、当該カードに対して推奨される挿抜周期を前記カード情報テーブルから取得して、前記現在時刻取得部が取得した年月日情報が、前記カード挿抜日記憶部に記憶されている前回カードの排出および挿入を検出したカード挿抜日から前記カードソケットに挿入された前記カードに対して推奨される挿抜周期以上経過している場合に、前記カードの排出および再挿入を促す通知を行うよう指示を行い、前記カードの排出および挿入を検出すると、前記カードの排出および再挿入を促す通知を停止する
ことを特徴とする請求項３記載のカード挿抜通知装置。
【請求項５】
外部からカードが挿入され、当該カードと情報のやりとりを行う電子機器に搭載されたカード挿抜通知装置であって、
外部から挿入された前記カードと前記電子機器本体とを電気的に接続可能なカードソケットと、
前記電子機器周辺の環境状態を検出する環境検出部と、
前記カードソケットへの前記カードの挿入および前記カードソケットからの前記カードの排出を検出するとともに、当該検出結果に応じて、外部へ情報を通知するよう指示を行う電子制御部と、
前記電子制御部からの指示を受けて、出力部に対して外部へ通知する情報を出力する出力制御部と、
前記出力制御部から取得した情報を外部へ通知する出力部と、を備え、
前記電子制御部は、前記環境検出部が検出した環境状態が所定の範囲内でないと判断した場合に、前記カードの排出を促す通知を行うよう指示を行い、前記カードの排出を検出すると、前記カードの排出を促す通知を停止し、その後、前記環境検出部が検出した環境状態が前記所定の範囲内になった場合に、前記カードの挿入を促す通知を行うよう指示を行い、前記カードの挿入を検出すると、前記カードの挿入を促す通知を停止する
ことを特徴とするカード挿抜通知装置。
【発明の詳細な説明】
【技術分野】
【０００１】
この発明は、装置に挿入して情報のやりとりを行うカードの抜き差しを適切なタイミングでユーザに促すカード挿抜通知装置に関するものである。
【背景技術】
【０００２】
従来より、電子機器等の装置に挿入して情報のやりとりを行うカードが種々知られている。この際、カードと電子機器本体とは、カード端子と機器側のカードソケット端子とが接触することにより、電気的に接続されている。
【０００３】
例えば、電子機器の記憶媒体としてＳＤカード等のメモリカードが用いられることが多く、特にナビゲーション装置等の車載機器においては、ＳＤカードが長期間挿入されたままの状態で使用されることが多いが、機器の振動により各々の端子が摺動され、端子上の酸化物が端子間に挟まったり、また、カード端子への異物の付着等により、カードとカードソケットとの間で導通不良が発生し、電子機器とカード間で通信不良に至る可能性がある。
【０００４】
このような場合には、ＳＤカードを一旦抜き取り、カード端子部に付着した異物をふき取るなどしたあとで、再度ＳＤカードを挿入することにより、機器の動作が復帰する可能性が高いが、ユーザにはそのような“カードの抜き差しを行えばよい”ということがわからないため、メーカーやディーラー等に不具合を連絡するしかなかった。
【０００５】
一方、カードの接続を検知するシステムとしては、例えば特許文献１に、機器側でメモリカードの接続不良を検知する接続検知システムが開示されている。
【先行技術文献】
【特許文献】
【０００６】
【特許文献１】特開平５−２２５４０４号公報
【発明の概要】
【発明が解決しようとする課題】
【０００７】
しかしながら、例えば特許文献１のような従来の技術では、メモリカードの接続不良を検知して接続確認を行うことまではできるが、カードの抜き差しを行うことにより機器の動作の復帰を狙うような考慮はされていないので、このシステムを、例えばナビゲーション装置等の車載機器に適用した場合であっても、依然としてユーザはメーカーやディーラー等に不具合を連絡するしかなかった。
【０００８】
その結果、実際にはカードの抜き差しを行うだけでユーザが簡単に解決することができるような導通不良による不具合であった場合にも、メーカーやディーラーの作業が増え、ユーザにとっても時間がかかってしまって利便性が損なわれるという課題があった。
【０００９】
この発明は、上記のような課題を解決するためになされたものであり、カードの抜き差しを適切なタイミングでユーザに促すカード挿抜通知装置を提供することを目的とする。
【課題を解決するための手段】
【００１０】
上記目的を達成するため、この発明は、外部からカードが挿入され、当該カードと情報のやりとりを行う電子機器に搭載されたカード挿抜通知装置であって、外部から挿入された前記カードと前記電子機器本体とを電気的に接続するカードソケットと、前記カードソケットに挿入された前記カードと前記電子機器との通信状態と、前記カードソケットへの前記カードの挿入および前記カードソケットからの前記カードの排出とを検出するとともに、当該検出結果に応じて、外部へ情報を通知するよう指示を行う電子制御部と、前記電子制御部からの指示を受けて、出力部に対して外部へ通知する情報を出力する出力制御部と、前記出力制御部から取得した情報を外部へ通知する出力部と、を備え、前記電子制御部は、前記通信状態が不良であると検出した回数が所定回数より多くなった場合に、前記カードの排出および再挿入を促す通知を行うよう指示を行い、前記カードの排出および挿入を検出すると、前記カードの排出および再挿入を促す通知を停止することを特徴とする。
【発明の効果】
【００１１】
この発明によれば、カードの抜き差しを適切なタイミングでユーザに促すことにより、カードの抜き差しを行うだけでユーザが簡単に解決することができるような導通不良による不具合であった場合に、メーカーやディーラー等の手を煩わせることなく、ユーザ自らが即座に不具合を解消することができるので、利便性が向上する。
【図面の簡単な説明】
【００１２】
【図１】実施の形態１におけるカード挿抜通知装置の一例を示すブロック図である。
【図２】実施の形態１における電子制御部の処理を示すフローチャートである。
【図３】実施の形態２における電子制御部の処理を示すフローチャートである。
【図４】実施の形態３におけるカード挿抜通知装置の一例を示すブロック図である。
【図５】実施の形態３における電子制御部の処理を示すフローチャートである。
【図６】実施の形態４におけるカード情報テーブルの一例を示す表である。
【図７】実施の形態４における電子制御部の処理を示すフローチャートである。
【図８】実施の形態５におけるカード挿抜通知装置の一例を示すブロック図である。
【図９】実施の形態５における電子制御部の処理を示すフローチャートである。
【発明を実施するための形態】
【００１３】
以下、この発明の実施の形態について、図面を参照しながら詳細に説明する。
この発明の実施の形態では、カード挿抜通知装置を、車載用の電子機器であるナビゲーション装置に適用する場合を例に説明するが、携帯情報端末や家庭用電子機器など、いずれの電子機器に適用してもよい。また、カードとしてＳＤカードを例に説明するが、ＣＦカード等の他のメモリカードやＢ−ＣＡＳカード等のＩＣカードなど、どのようなカードにも適用することができる。
【００１４】
実施の形態１．
図１は、この発明の実施の形態１におけるカード挿抜通知装置の一例を示すブロック図である。このカード挿抜通知装置１０は、表示部１１、スピーカ（音声出力部）１２、操作部１３、表示出力制御部２１、音声出力制御部２２、カードソケット３、電子制御部４を備えている。また、ここでは、このカード挿抜通知装置１０を、車載用のナビゲーション装置に搭載し、カードソケット３に挿入するカードはＳＤカード３０であるものとして説明する。
【００１５】
なお、表示部１１およびスピーカ（音声出力部）１２が出力部１を構成し、表示出力制御部２１および音声出力制御部２２が出力制御部２を構成しているが、出力部１については、表示部１１およびスピーカ１２のいずれか一方があればよく、出力制御部２についても、それに対応するいずれか一方があればよいが、ここでは、両方を備えているものとして説明する。
【００１６】
表示部１１は、表示一体型のタッチパネルであり、例えばＬＣＤ（Ｌｉｑｕｉｄ  Ｃｒｙｓｔａｌ  Ｄｉｓｐｌａｙ）とタッチセンサから構成されており、表示出力制御部２１から取得した情報に基づいて、画面上に警告等の表示を行う。なお、タッチパネルには、感圧方式、電磁誘導方式、静電容量方式、あるいはこれらを組み合わせた方式などのうち、いずれを用いてもよい。また、ＬＣＤの代わりにＬＥＤや有機ＥＬディスプレイを用いるなど、視覚的に警告等を表示できるものであれば、どのようなものであってもよい。
【００１７】
スピーカ（音声出力部）１２は、音声出力制御部２２から取得した情報に基づいて、音声を出力する。
すなわち、出力部１（表示部１１、スピーカ１２）は、出力制御部２（表示出力制御部２１、音声出力制御部２２）から取得した情報を外部へ出力（通知）する。
【００１８】
操作部１３は、ユーザの手動による指示を入力するもの、すなわち、ユーザによる各種操作の指示を受け付けるものである。当該指示は、カード挿抜通知装置１０に設けられたハードウエアのスイッチ、表示部１１に設定され表示されるタッチスイッチ、あるいはハンドル等に設置されたリモコンもしくは別体のリモコンによる指示を認識する認識装置によるものが挙げられる。
【００１９】
表示出力制御部２１は、電子制御部４からの指示を受けて、表示部１１に対して外部（ユーザ）へ通知する警告等の情報を表示出力する。
音声出力制御部２２は、電子制御部４からの指示を受けて、スピーカ１２に対して外部（ユーザ）へ通知する警告等の情報を音声出力する。
【００２０】
すなわち、出力制御部２（表示出力制御部２１、音声出力制御部２２）は、電子制御部４からの指示を受けて、出力部１（表示部１１、スピーカ１２）に対して外部（ユーザ）へ通知する情報を出力する。
【００２１】
カードソケット３は、ＳＤカード３０が挿入されると当該ＳＤカード３０の端子とカードソケット３側の端子との接触により、外部から挿入されたＳＤカード３０をカード挿抜通知装置１０が搭載された電子機器（ナビゲーション装置）本体と電気的に接続する。
なお、ＳＤカード３０には、このカード挿抜通知装置１０が搭載される電子機器であるナビゲーション装置で使用される地図情報や走行履歴情報、その他、ユーザの好きな音楽情報などが記憶されている。
【００２２】
電子制御部４は、ＣＰＵ４１、ＲＯＭ４２、ＲＡＭ４３を備える制御部であり、通常のナビゲーション処理を行うとともに、カードソケット３を介してカードソケット３に挿入されたＳＤカード３０と電子機器（ナビゲーション装置）との間での通信状態と、カードソケット３へのＳＤカード３０の挿入およびカードソケット３からのＳＤカード３０の排出を検出し、当該検出結果に応じて、外部（ユーザ）へ情報を通知するよう指示を行う。
【００２３】
この電子制御部４における動作について、図２に示すフローチャートを用いて説明する。図２は、この実施の形態１における電子制御部４の処理を示すフローチャートである。なお、図２に示す処理は、このカード挿抜通知装置１０の電源がＯＮ（ナビゲーション装置のＡＣＣ電源がＯＮ）している間中は、所定時間ごと（例えば１秒ごと）に繰り返し実行されることとする。
【００２４】
まず初めに、ＳＤカード３０の挿抜通知を実行するまでの所定回数（通信不良回数＝Ａ１）が設定されているか否かをチェックし（ステップＳＴ１１）、設定されていない場合（ステップＳＴ１１のＮＯの場合）には、通信不良回数（＝Ａ１）を設定する（ステップＳＴ１２）。ここでは、例えば３回以上通信不良を検知した場合には挿抜通知を行うこととして、所定回数（通信不良回数＝Ａ１）として「２回」を設定する。
【００２５】
通信不良回数（＝Ａ１）が設定されている場合（ステップＳＴ１１のＹＥＳの場合）、および、ステップＳＴ１２において通信不良回数（＝Ａ１）を設定した場合には、カードソケット３を介してＳＤカード３０と電子機器（ナビゲーション装置）との間の通信状態をチェックし、通信不良を検知すると（ステップＳＴ１３のＹＥＳの場合）、通信不良検知回数（＝Ｂ１）をカウント（＋１）する（ステップＳＴ１４）。
【００２６】
そして、通信不良検知回数（＝Ｂ１）が所定回数（通信不良回数＝Ａ１）よりも大きくなったら（ステップＳＴ１５のＹＥＳの場合）、ＳＤカード３０の抜き差しを促す表示および音声を出力するよう、表示出力制御部２１および音声出力制御部２２に対して指示出力を行う（ステップＳＴ１６）。すなわち、ここでは通信不良検知回数（＝Ｂ１）が３回になると、ＳＤカード３０を抜き差しするよう促す表示および音声が、ユーザに対して提示される。
【００２７】
指示出力としては、例えば「ＳＤカードを抜いてＳＤカード端子部を拭き取り、再度ＳＤカードを挿入してください」と表示部１１に出力させるように表示出力制御部２１に駆動信号を出力したり、同様の出力をスピーカ１２に音声出力させるように音声出力制御部２２に駆動信号を出力することにより行う。なお、表示部１１への出力は、視覚的な報知機能があればよく、ＬＥＤ等による単なる光の点滅等であってもよい。
【００２８】
一方、通信不良を検知しない場合（ステップＳＴ１３のＮＯの場合）、および、通信不良検知回数（＝Ｂ１）が通信不良回数（＝Ａ１）以下の場合（ステップＳＴ１５のＮＯの場合）には、ステップＳＴ１３〜ＳＴ１５の処理を繰り返す。すなわち、ここでは通信不良が検出されない場合や、通信不良検知回数が２回以下の場合には、ステップＳＴ１３〜ＳＴ１５の処理を繰り返す。
【００２９】
なお、図２に示すフローチャートでは省略して記載されていないが、通信不良検知回数（＝Ｂ１）は、通信不良回数（＝Ａ１）より大きくなった時点で（ステップＳＴ１５がＹＥＳとなってステップＳＴ１６の処理へ進んだ時点で）、０（ゼロ）にリセットされるものとする。
【００３０】
そして、ステップＳＴ１６において、ＳＤカード３０の抜き差しを促す表示および音声が出力されたら、ＳＤカード３０の排出および挿入（ユーザによりＳＤカード３０が排出され、さらに挿入されたか否か）がチェックされる（ステップＳＴ１７）。ＳＤカード３０の排出および挿入が検知されない場合（ステップＳＴ１７のＮＯの場合）には、ステップＳＴ１６における表示および音声の出力を継続する。
【００３１】
一方、ユーザによりＳＤカード３０の抜き差しが行われ、カード挿抜通知装置１０側でのＳＤカード３０の排出および挿入が検知されると（ステップＳＴ１７のＹＥＳの場合）、ステップＳＴ１６におけるユーザにＳＤカードの抜き差しを促す表示および音声の出力を停止するよう、表示出力制御部２１および音声出力制御部２２に対して指示出力を行う（ステップＳＴ１８）。
【００３２】
すなわち、電子制御部４は、ＳＤカード３０と電子機器（ナビゲーション装置）との通信状態が不良であると検出した回数が所定回数より多くなった場合に、ＳＤカード３０の排出および再挿入を促す通知を行うよう指示を行い、ＳＤカード３０の排出および挿入を検出すると、ＳＤカード３０の排出および再挿入を促す通知を停止する。
【００３３】
このように、電子制御部４が、ＳＤカード３０との間で通信不良を検知した場合に、ＳＤカード３０とカードソケット３との間での異物付着等による導通不良であった場合には、ユーザにＳＤカード３０の抜き差しを促して、ユーザがＳＤカード３０の挿抜操作を行うことにより簡単に通信不良が解消し、即座にカード挿抜通知装置１０が搭載された電子機器（ナビゲーション装置）の動作を復帰させることができる。
【００３４】
以上のように、この実施の形態１によれば、カードの抜き差しを適切なタイミングでユーザに促すことにより、カードの抜き差しを行うだけでユーザが簡単に解決することができるような導通不良による不具合であった場合に、メーカーやディーラー等の手を煩わせることなく、ユーザ自らが即座に不具合を解消することができるので、利便性が向上する。
【００３５】
実施の形態２．
この発明の実施の形態２におけるカード挿抜通知装置の構成は、図１に示す実施の形態１におけるカード挿抜通知装置１０のブロック図と同じであるため、図示および説明を省略する。この実施の形態２では、通信不良検知回数（＝Ｂ１）が所定回数（通信不良回数＝Ａ１）よりも大きくなったら、機能制限モードに移行させ、ユーザに警告を促す機能以外の機能を無効にする。
【００３６】
図３は、この実施の形態２における電子制御部４の処理を示すフローチャートである。なお、実施の形態１の場合と同様に、図３に示す処理は、このカード挿抜通知装置１０の電源がＯＮ（ナビゲーション装置のＡＣＣ電源がＯＮ）している間中は、所定時間ごと（例えば１秒ごと）に繰り返し実行されることとする。
【００３７】
ステップＳＴ２１〜ＳＴ２５およびＳＴ２７〜ＳＴ２９の処理については、実施の形態１における図２に示すフローチャートのステップＳＴ１１〜ＳＴ１５およびＳＴ１６〜ＳＴ１８の処理と同じであるため、ここでは説明を省略する。
【００３８】
図３において、通信不良検知回数（＝Ｂ１）が所定回数（通信不良回数＝Ａ１）よりも大きくなったら（ステップＳＴ２５のＹＥＳの場合）、機能制限モードに移行する（ステップＳＴ２６）。この機能制限モードでは、ユーザに警告を示す機能以外の通常の機能（例えばナビゲーション機能等）を無効にすることにより、ユーザにその電子機器（ナビゲーション装置）が異常状態であることを示すものである。
【００３９】
そして、機能制限モードに移行してその他の機能制限をかけておいてから、ＳＤカード３０の抜き差しを促す表示および音声を出力するよう、表示出力制御部２１および音声出力制御部２２に対して指示出力を行う（ステップＳＴ２７）。
【００４０】
その後、ユーザによりＳＤカード３０の抜き差しが行われ、カード挿抜通知装置１０側でのＳＤカード３０の排出および挿入が検知されると（ステップＳＴ２８のＹＥＳの場合）、ステップＳＴ２７におけるユーザにＳＤカードの抜き差しを促す表示および音声の出力を停止するよう、表示出力制御部２１および音声出力制御部２２に対して指示出力を行い（ステップＳＴ２９）、機能制限モードを解除する（ステップＳＴ３０）。
【００４１】
すなわち、電子制御部４は、ＳＤカード３０と電子機器（ナビゲーション装置）との通信状態が不良であると検出した回数が所定回数より多くなった場合に、電子機器（ナビゲーション装置）の機能を停止させる機能制限モードに電子機器（ナビゲーション装置）を移行させてから、ＳＤカード３０の排出および再挿入を促す通知を行うよう指示を行い、ＳＤカード３０の排出および挿入を検出すると、ＳＤカード３０の排出および再挿入を促す通知を停止し、機能制限モードを解除する。
【００４２】
このように、電子制御部４が、ＳＤカード３０との間で通信不良を検知した場合に、ＳＤカード３０とカードソケット３との間での異物付着等による導通不良であった場合には、通常の装置の機能を無効にしてからユーザにＳＤカード３０の抜き差しを促すので、ユーザが確実にＳＤカード３０の挿抜操作を行うことが期待でき、その結果、簡単に通信不良が解消し、即座にカード挿抜通知装置１０が搭載された電子機器（ナビゲーション装置）の動作を復帰させることができる。
【００４３】
以上のように、この実施の形態２によれば、カードの抜き差しを適切なタイミングでユーザに促すことにより、カードの抜き差しを行うだけでユーザが簡単に解決することができるような導通不良による不具合であった場合に、メーカーやディーラー等の手を煩わせることなく、ユーザ自らが即座に不具合を解消することができるので、利便性が向上する。
【００４４】
実施の形態３．
図４は、この発明の実施の形態３におけるカード挿抜通知装置の一例を示すブロック図である。なお、実施の形態１，２で説明したものと同様の構成には、同一の符号を付して重複した説明を省略する。以下に示す実施の形態３では、実施の形態１と比べると、カード挿抜通知装置１０Ａが、現在の年月日情報を取得する現在時刻取得部５をさらに備えている。
【００４５】
図５は、この実施の形態３における電子制御部４の処理を示すフローチャートである。なお、実施の形態１，２の場合と同様に、図５に示す処理は、このカード挿抜通知装置１０Ａの電源がＯＮ（ナビゲーション装置のＡＣＣ電源がＯＮ）している間中は、所定時間ごと（例えば１秒ごと）に繰り返し実行されることとしてもよいし、このカード挿抜通知装置１０Ａの電源がＯＮ（ナビゲーション装置のＡＣＣ電源がＯＮ）されたときにのみ実行されるようにしてもよい。
【００４６】
まず初めに、現在時刻取得部５を介して現在の年月日情報（＝Ａ２）を取得する（ステップＳＴ３１）。なお、ここでは現在時刻取得部５として、例えばＧＰＳ（Ｇｌｏｂａｌ  Ｐｏｓｉｔｉｏｎｉｎｇ  Ｓｙｓｔｅｍ）を用いることにより、時刻情報を取得するものとして説明するが、電子制御部４が持つ時刻情報を基に取得するようにしてもよい。
【００４７】
次に、電子制御部４のＲＯＭ４２に記憶されている情報の中に、前回ＳＤカード３０が挿抜された年月日情報（ＳＤカード挿抜日＝Ｂ２）が存在しなければ（ステップＳＴ３２のＮＯの場合）、ステップＳＴ３１で取得した年月日情報（＝Ａ２）を、ＳＤカード３０の挿抜日（＝Ｂ２）として設定する（ステップＳＴ３３）。
【００４８】
つまり、そのＳＤカード３０を初めて挿入した場合には、必ずステップＳＴ３３においてＳＤカード３０の挿抜日（＝Ｂ２）が設定され、電子制御部４のＲＯＭ４２に、ＳＤカード挿抜日（＝Ｂ２）として記憶される。すなわち、ＲＯＭ４２は、ＳＤカード３０の挿入を検出した年月日情報を記憶するカード挿抜日記憶部として用いられる。
【００４９】
そして、ＳＤカード３０の所定挿抜周期（＝Ｃ２）を設定する（ステップＳＴ３４）。この所定挿抜周期（＝Ｃ２）とは、この周期よりも長い間ＳＤカード３０を挿入したまま抜き差しすることがなく使用され続けると、端子同士がすれて酸化物が付着する等、導通不良を引き起こすおそれがあると想定される期間のことであり、ここでは例えば１８０日とする。
【００５０】
なお、同じＳＤカード３０での使用が２回目以降の場合には、必ず以前のＳＤカード挿抜日（＝Ｂ２）が設定されてＲＯＭ４２に記憶されているので（ステップＳＴ３２のＮＯの場合）、ステップＳＴ３３およびＳＴ３４の処理は行わずに次の処理へ進む。
【００５１】
ステップＳＴ３１において取得した現在の年月日情報（＝Ａ２）が、カード挿抜日記憶部として機能するＲＯＭ４２に記憶されている前回ＳＤカード３０が挿抜された年月日情報（ＳＤカード挿抜日＝Ｂ２）から、所定のＳＤカード挿抜周期（＝Ｃ２）以上が過ぎている場合、すなわち、Ａ２≧Ｂ２＋Ｃ２である場合（ステップＳＴ３５のＮＯの場合）、ＳＤカード３０の抜き差しを促す表示および音声を出力するよう、表示出力制御部２１および音声出力制御部２２に対して指示出力を行う（ステップＳＴ３６）。
【００５２】
すなわち、ここではＳＤカード３０が挿抜された年月日情報（ＳＤカード挿抜日＝Ｂ２）から所定の挿抜周期（＝Ｃ２）以上が過ぎた場合には、ＳＤカード３０を抜き差しするよう促す表示および音声が、ユーザに対して提示される。
【００５３】
指示出力としては、実施の形態１，２同様、例えば「ＳＤカードを抜いてＳＤカード端子部を拭き取り、再度ＳＤカードを挿入してください」と表示部１１に出力させるように表示出力制御部２１に駆動信号を出力したり、同様の出力をスピーカ１２に音声出力させるように音声出力制御部２２に駆動信号を出力することにより行う。なお、表示部１１への出力は、視覚的な報知機能があればよく、ＬＥＤ等による単なる光の点滅等であってもよい。
【００５４】
そして、ステップＳＴ３６において、ＳＤカード３０の抜き差しを促す表示および音声が出力されたら、ＳＤカード３０の排出および挿入（ユーザによりＳＤカード３０が排出され、さらに挿入されたか否か）がチェックされる（ステップＳＴ３７）。ＳＤカード３０の排出および挿入が検知されない場合（ステップＳＴ３７のＮＯの場合）には、ステップＳＴ３６における表示および音声の出力を継続する。
【００５５】
一方、ユーザによりＳＤカード３０の抜き差しが行われ、カード挿抜通知装置１０側でのＳＤカード３０の排出および挿入が検知されると（ステップＳＴ３７のＹＥＳの場合）、現在の年月日情報をＳＤカード挿抜日（＝Ｂ２）として設定し（ステップＳＴ３８）、ＲＯＭ４２に記憶するとともに、ステップＳＴ３６におけるユーザにＳＤカード３０の抜き差しを促す表示および音声の出力を停止するよう、表示出力制御部２１および音声出力制御部２２に対して指示出力を行う（ステップＳＴ３９）。
【００５６】
なお、ステップＳＴ３５のチェックにおいて、現在の年月日情報（＝Ａ２）が、前回ＳＤカード３０が挿抜された年月日情報（ＳＤカード挿抜日＝Ｂ２）から、所定のＳＤカード挿抜周期（＝Ｃ２）以上過ぎていない場合、すなわち、Ａ２＜Ｂ２＋Ｃ２である場合（ステップＳＴ３５のＹＥＳの場合）には、まだＳＤカード３０を抜き差しする必要はないと判断し、処理を終了する。
【００５７】
具体的には、例えば、このカード挿抜通知装置１０Ａを搭載したナビゲーション装置の電源をＯＮにして初めてＳＤカード３０を挿入した日が２０１３年１月１日だった場合、まず初めに現在の年月日情報（＝Ａ２）として２０１３年１月１日が取得され（ステップＳＴ３１）、この２０１３年１月１日がＳＤカード挿抜日（＝Ｂ２）として設定される（ステップＳＴ３３）とともに、ＳＤカード挿抜周期（＝Ｃ２）として１８０日が設定される（ステップＳＴ３４）。
【００５８】
この場合には、ステップＳＴ３５における「Ａ２＜Ｂ２＋Ｃ２？」のチェックがＹＥＳであるので、このまま処理を終了する。
この状態では、前回ＳＤカード３０を抜き差しした日（ＳＤカード挿抜日＝Ｂ２）が２０１３年１月１日であり、このカード挿抜通知装置１０Ａを搭載したナビゲーション装置の電源をＯＮにしたときの現在の年月日情報（＝Ａ２）が２０１３年６月２９日までは、ステップＳＴ３５におけるチェックがＹＥＳであるので、同じくそのまま処理が終了される。
【００５９】
その後、このカード挿抜通知装置１０Ａを搭載したナビゲーション装置の電源をＯＮにしたときの現在の年月日情報（＝Ａ２）が２０１３年６月３０日以降になると、Ａ２≧Ｂ２＋Ｃ２となるため、ステップＳＴ３５におけるチェックがＮＯとなり、「ＳＤカードを抜いてＳＤカード端子部を拭き取り、再度ＳＤカードを挿入してください」という表示とともに、音声による出力が行われる（ステップＳＴ３６）。
【００６０】
そして、ＳＤカード３０の排出および挿入が検知されると（ステップＳＴ３７のＹＥＳの場合）、現在の年月日（例えば、２０１３年６月３０日）をＳＤカード挿抜日（＝Ｂ２）として設定し（ステップＳＴ３８）、ＳＤカード挿抜を促す表示および音声を停止する（ステップＳＴ３９）。
【００６１】
その後、そこからまた１８０日（＝Ｃ２）経過するまではＳＤカード挿抜を促す表示および音声は出力されずに処理は終了され、１８０日（＝Ｃ２）以上経過すると、ＳＤカード挿抜を促す表示および音声が出力される。
なお、ここでは標準のＳＤカード挿抜周期としてＣ２＝１８０日として説明したが、このＳＤカード挿抜周期（＝Ｃ２）は１８０日以外の周期であってもよい。
【００６２】
すなわち、電子制御部４は、ＳＤカード３０の排出および挿入を検出した年月日情報（＝Ｂ２）を記憶するカード挿抜日記憶部を有し、現在時刻取得部５が取得した年月日情報（＝Ａ２）が、カード挿抜日記憶部に記憶されている前回カードの排出および挿入を検出したカード挿抜日（＝Ｂ２）から所定の挿抜周期（＝Ｃ２）以上経過している場合に、ＳＤカード３０の排出および再挿入を促す通知を行うよう指示を行い、ＳＤカード３０の排出および挿入を検出すると、ＳＤカード３０の排出および再挿入を促す通知を停止する。
【００６３】
このように、電子制御部４が、一定期間ＳＤカード３０の抜き差しが行われていない場合に、ユーザにＳＤカード３０の抜き差しを促して、ユーザがＳＤカード３０の挿抜操作を行うことにより、ＳＤカード３０とカードソケット３との間での異物付着等による導通不良を未然に防止することができる。
【００６４】
以上のように、この実施の形態３によれば、カードの抜き差しを適切なタイミングでユーザに促すことにより、カードの抜き差しを行うだけでユーザが簡単に解決することができるような導通不良による不具合を未然に防止することができるので、利便性が向上する。
【００６５】
実施の形態４．
この発明の実施の形態４におけるカード挿抜通知装置の構成は、図４に示す実施の形態３におけるカード挿抜通知装置１０Ａのブロック図と同じであるため、図示および説明を省略する。この実施の形態４では、ＳＤカード３０の信頼性に応じて、ＳＤカード挿抜周期（＝Ｃ２）を可変とするものである。
【００６６】
図６は、この実施の形態４において電子制御部４が保持しているカード情報テーブルの一例を示す表である。このカード情報テーブルには、主なＳＤカードのメーカー名や型名、および、その型名ごとに推奨する挿抜周期が対応付けて記憶されている。なお、このテーブルは外部手段（ＳＤカード等）により書換え可能なものである。
【００６７】
図６に示すテーブルは、メーカー名：ＡＢＣの型名：ＰＱＲというＳＤカードの場合には、推奨するカード挿抜周期が３０日、メーカー名：ＤＥＦの型名：ＳＴＵというＳＤカードの場合には、推奨するカード挿抜周期が１８０日、メーカー名：ＧＨＩの型名：ＶＷＸというＳＤカードの場合には、推奨するカード挿抜周期が３６５日であることを示している。
【００６８】
これは、メーカー名：ＡＢＣの型名：ＰＱＲというＳＤカードの場合には、短期間で異物が付着したり接触不良を起こしたりする等、信頼性が低く短期間で導通不良を引き起こす可能性が高く、メーカー名：ＧＨＩの型名：ＶＷＸというＳＤカードの場合には、信頼性が高くあまり導通不良を引き起こさないと思われるカードであることを意味している。
【００６９】
図７は、この実施の形態４における電子制御部４の処理を示すフローチャートである。なお、実施の形態１〜３の場合と同様に、図７に示す処理は、このカード挿抜通知装置１０Ａの電源がＯＮ（ナビゲーション装置のＡＣＣ電源がＯＮ）している間中は、所定時間ごと（例えば１秒ごと）に繰り返し実行されることとしてもよいし、このカード挿抜通知装置１０Ａの電源がＯＮ（ナビゲーション装置のＡＣＣ電源がＯＮ）されたときにのみ実行されるようにしてもよい。
【００７０】
まず初めに、現在時刻取得部５を介して現在の年月日情報（＝Ａ２）を取得する（ステップＳＴ４１）。なお、ここでは現在時刻取得部５として、例えばＧＰＳ（Ｇｌｏｂａｌ  Ｐｏｓｉｔｉｏｎｉｎｇ  Ｓｙｓｔｅｍ）を用いることにより、時刻情報を取得するものとして説明するが、電子制御部４が持つ時刻情報を基に取得するようにしてもよい。
【００７１】
次に、電子制御部４のＲＯＭ４２に記憶されている情報の中に、前回ＳＤカード３０が挿抜された年月日情報（ＳＤカード挿抜日＝Ｂ２）が存在しなければ（ステップＳＴ４２のＮＯの場合）、ステップＳＴ４１で取得した年月日情報（＝Ａ２）を、ＳＤカード３０の挿抜日（＝Ｂ２）として設定する（ステップＳＴ４３）。
【００７２】
つまり、そのＳＤカード３０を初めて挿入した場合には、必ずステップＳＴ４３においてＳＤカード３０の挿抜日（＝Ｂ２）が設定され、電子制御部４のＲＯＭ４２に、ＳＤカード挿抜日（＝Ｂ２）として記憶される。
【００７３】
なお、同じＳＤカード３０での使用が２回目以降の場合には、必ず以前のＳＤカード挿抜日（＝Ｂ２）が設定されているので（ステップＳＴ４２のＮＯの場合）、ステップＳＴ４３の処理は行わずに次の処理へ進む。
【００７４】
次に、カードソケット３を介して、現在カードソケット３に挿入されているＳＤカード３０のＳＤカード情報を取得する（ステップＳＴ４４）。このＳＤカード情報とは、メーカー名や型名を示す情報であり、ここでは少なくとも型名を取得するものとする。
【００７５】
そして、ステップＳＴ４４で取得したＳＤカード情報が、例えば図６に示すようなカード情報テーブルに含まれているか否かをチェックする（ステップＳＴ４５）。すなわち、ステップＳＴ４４で取得したＳＤカード情報のメーカー名および型名を、電子制御部４が保持しているカード情報テーブル（図６）と照合し、現在挿入されているＳＤカード３０の型名がカード情報テーブルに存在するか否かを判断する。
【００７６】
ステップＳＴ４４で取得したＳＤカード情報が、図６に示すようなカード情報テーブルに存在する場合（ステップＳＴ４５のＹＥＳの場合）には、そのＳＤカード３０に対して推奨される挿抜周期をカード情報テーブルから取得して、ＳＤカード挿抜周期（＝Ｃ２）として設定する（ステップＳＴ４６）。
【００７７】
一方、ステップＳＴ４４で取得したＳＤカード情報が、図６に示すようなカード情報テーブルに存在しない（含まれていない）場合（ステップＳＴ４５のＮＯの場合）には、所定のＳＤカード挿抜周期（ここでは、１８０日とする）をＳＤカード挿抜周期（＝Ｃ２）として設定する（ステップＳＴ４７）。
【００７８】
そして、ステップＳＴ４１において取得した現在の年月日情報（＝Ａ２）が、カード挿抜日記憶部として機能するＲＯＭ４２に記憶されている前回ＳＤカード３０が挿抜された年月日情報（ＳＤカード挿抜日＝Ｂ２）から、所定のＳＤカード挿抜周期（＝Ｃ２）以上経過している場合、すなわち、Ａ２≧Ｂ２＋Ｃ２である場合（ステップＳＴ４８のＮＯの場合）に、ＳＤカード３０の抜き差しを促す表示および音声を出力するよう、表示出力制御部２１および音声出力制御部２２に対して指示出力を行う（ステップＳＴ４９）。
【００７９】
すなわち、ここではＳＤカード３０が挿抜された年月日情報（ＳＤカード挿抜日＝Ｂ２）から所定の挿抜周期（＝Ｃ２）以上が過ぎた場合には、ＳＤカード３０を抜き差しするよう促す表示および音声が、ユーザに対して提示されるが、この所定の挿抜周期（＝Ｃ２）は、各ＳＤカードの信頼性に応じて異なる周期（可変）である点が、実施の形態３とは異なっている。
【００８０】
なお、ステップＳＴ４８〜ＳＴ５２の処理については、実施の形態３における図５に示すフローチャートのステップＳＴ３５〜ＳＴ３９の処理と同じであるため、ここでは説明を省略する。
【００８１】
すなわち、電子制御部４は、カードソケット３に挿入されたＳＤカード３０の型名を取得するとともに、ＳＤカード３０の型名ごとに推奨する挿抜周期を対応付けたカード情報テーブルをさらに有しており、外部からカードソケット３にＳＤカード３０が挿入されると、当該ＳＤカード３０の型名がカード情報テーブルに存在するか否かを判断し、存在する場合には、当該ＳＤカード３０に対して推奨される挿抜周期をカード情報テーブルから取得する。
【００８２】
そしてさらに、現在時刻取得部５が取得した年月日情報（＝Ａ２）が、カード挿抜日記憶部に記憶されている前回カードの排出および挿入を検出したカード挿抜日（＝Ｂ２）からカードソケット３に挿入されたＳＤカード３０に対して推奨される挿抜周期（＝Ｃ２）以上経過している場合に、ＳＤカード３０の排出および再挿入を促す通知を行うよう指示を行い、ＳＤカード３０の排出および挿入を検出すると、ＳＤカード３０の排出および再挿入を促す通知を停止する。
【００８３】
このように、電子制御部４が、一定期間ＳＤカード３０の抜き差しが行われていない場合に、ユーザにＳＤカード３０の抜き差しを促して、ユーザがＳＤカード３０の挿抜操作を行うことにより、ＳＤカード３０とカードソケット３との間での異物付着等による導通不良を未然に防止することができる。なお、ＳＤカード３０の抜き差しを促す一定期間を各ＳＤカードの信頼性に応じて可変としたので、より適切なタイミングでカードの抜き差しを促すことができる。
【００８４】
以上のように、この実施の形態４によれば、カードの抜き差しを適切なタイミングでユーザに促すことにより、カードの抜き差しを行うだけでユーザが簡単に解決することができるような導通不良による不具合を未然に防止することができるので、利便性が向上する。
【００８５】
実施の形態５．
図８は、この発明の実施の形態５におけるカード挿抜通知装置の一例を示すブロック図である。なお、実施の形態１〜４で説明したものと同様の構成には、同一の符号を付して重複した説明を省略する。以下に示す実施の形態５では、実施の形態１と比べると、カード挿抜通知装置１０Ｂが、環境検出センサ（環境検出部）６をさらに備えている。
【００８６】
環境検出センサ（環境検出部）６は、例えば温度センサ、湿度センサ、振動センサ等の、このカード挿抜通知装置１０Ｂの周辺の環境を検出するセンサである。なお、この実施の形態５では、環境検出センサ（環境検出部）６が温度センサであるものとして説明する。
【００８７】
図９は、この実施の形態５における電子制御部４の処理を示すフローチャートである。なお、実施の形態１，２の場合と同様に、図９に示す処理は、このカード挿抜通知装置１０Ｂの電源がＯＮ（ナビゲーション装置のＡＣＣ電源がＯＮ）している間中は、所定時間ごと（例えば１秒ごと）に繰り返し実行されることとする。
【００８８】
まず初めに、電子制御部４において、現在挿入されているＳＤカード３０の動作を保障する環境条件（温度条件）、すなわち、動作を保障する所定の温度閾値（＝Ａ３）が設定されているか否かをチェックする（ステップＳＴ６１）。
【００８９】
温度閾値（＝Ａ３）が設定されていない場合（ステップＳＴ６１のＮＯの場合）には、所定の温度閾値（＝Ａ３）を設定する（ステップＳＴ６２）。ここでは、一般的なＳＤカード３０の動作保障温度（例えば、８５度）を、温度閾値（＝Ａ３）として設定する。
なお、既に温度閾値（＝Ａ３）が設定されている場合には、ステップＳＴ６２の処理を行わずに次の処理へ進む。
【００９０】
次に、環境検出センサ（温度センサ）６から、現在の環境状態である温度（＝Ｂ３）を取得する（ステップＳＴ６３）。そして、現在の温度（＝Ｂ３）が、設定されている温度閾値（＝Ａ３）より高い（大きい）場合（ステップＳＴ６４のＹＥＳの場合）、環境検出センサ（温度センサ）６が検出した環境状態（温度＝Ｂ３）が所定の範囲内（温度閾値Ａ３以内）でないと判断し、ＳＤカード３０の排出を促す表示および音声を出力するよう、表示出力制御部２１および音声出力制御部２２に対して指示出力を行う（ステップＳＴ６５）。
【００９１】
すなわち、ここではステップＳＴ６３において環境検出センサ（温度センサ）６から取得された現在の温度（＝Ｂ３）が、所定の温度閾値Ａ３（ここでは、８５度）よりも高い温度だった場合には、ＳＤカード３０を排出するよう促す表示および音声が、ユーザに対して提示される。
【００９２】
一方、現在の温度（＝Ｂ３）が、所定の温度閾値Ａ３（ここでは、８５度）以下の温度だった場合（ステップＳＴ６４のＮＯの場合）には、再度、環境検出センサ（温度センサ）６から現在の温度（＝Ｂ３）を取得し、この処理を繰り返す。
【００９３】
ステップＳＴ６４がＹＥＳだった場合の指示出力としては、例えば「ＳＤカードを抜いてください」と表示部１１に出力させるように表示出力制御部２１に駆動信号を出力したり、同様の出力をスピーカ１２に音声出力させるように音声出力制御部２２に駆動信号を出力することにより行う。なお、表示部１１への出力は、視覚的な報知機能があればよく、ＬＥＤ等による単なる光の点滅等であってもよい。
【００９４】
そして、ステップＳＴ６５において、ＳＤカード３０の排出を促す表示および音声が出力されたら、ＳＤカード３０の排出（ユーザによりＳＤカード３０が排出されたか否か）がチェックされる（ステップＳＴ６６）。ＳＤカード３０の排出が検知されない場合（ステップＳＴ６６のＮＯの場合）には、ステップＳＴ６５における表示および音声の出力を継続する。
【００９５】
一方、ユーザによりＳＤカード３０の排出が行われ、カード挿抜通知装置１０Ｂ側でのＳＤカード３０の排出が検知されると（ステップＳＴ６６のＹＥＳの場合）、ステップＳＴ６５におけるユーザにＳＤカード３０の排出を促す表示および音声の出力を停止するよう、表示出力制御部２１および音声出力制御部２２に対して指示出力を行う（ステップＳＴ６７）。
【００９６】
その後さらに、環境検出センサ（温度センサ）６から、現在の環境状態である温度（＝Ｂ３）を取得する（ステップＳＴ６８）。そして、現在の温度（＝Ｂ３）が、設定されている温度閾値（＝Ａ３）より低く（小さく）なった場合（ステップＳＴ６９のＹＥＳの場合）、すなわち、環境検出センサ（温度センサ）６が検出した環境状態（温度＝Ｂ３）が所定の範囲内（温度閾値Ａ３よりも低い温度）になった場合に、ＳＤカード３０の挿入を促す表示および音声を出力するよう、表示出力制御部２１および音声出力制御部２２に対して指示出力を行う（ステップＳＴ７０）。
【００９７】
すなわち、ここではステップＳＴ６６においてＳＤカード３０の排出が確認された後、ステップＳＴ６８において環境検出センサ（温度センサ）６から取得された現在の温度（＝Ｂ３）が、所定の温度閾値Ａ３（ここでは、８５度とする）よりも低い温度になった場合には、再びＳＤカード３０を挿入するよう促す表示および音声が、ユーザに対して提示される。
【００９８】
一方、現在の温度（＝Ｂ３）が、所定の温度閾値Ａ３（ここでは、８５度とする）以上の温度だった場合（ステップＳＴ６９のＮＯの場合）には、再度、環境検出センサ（温度センサ）６から現在の温度（＝Ｂ３）を取得し、現在の温度（＝Ｂ３）が所定の閾値温度（＝Ａ３）よりも低くなるまで、この処理を繰り返す。この処理の期間は、例えば「ＳＤカードを挿入しないでください」と表示部１１に出力させるよう表示出力制御２１に駆動信号を出力したり、同様の出力をスピーカ１２に音声出力させるよう音声出力制御部２２に駆動信号を出力することにより、現在の温度（＝Ｂ３）が所定の閾値温度（＝Ａ３）よりも低くならないうちにＳＤカードがユーザにより挿入されてしまわないようにする。なお、表示部１１への出力は、視覚的な報知機能があればよく、例えばＬＥＤ等による単なる光の点滅等であってもよい。
【００９９】
ステップＳＴ６９がＹＥＳだった場合の指示出力としては、例えば「ＳＤカードを挿入してください」と表示部１１に出力させるように表示出力制御部２１に駆動信号を出力したり、同様の出力をスピーカ１２に音声出力させるように音声出力制御部２２に駆動信号を出力することにより行う。なお、表示部１１への出力は、視覚的な報知機能があればよく、ＬＥＤ等による単なる光の点滅等であってもよい。
【０１００】
そして、ステップＳＴ７０において、ＳＤカード３０の挿入を促す表示および音声が出力されたら、ＳＤカード３０の挿入（ユーザによりＳＤカード３０が挿入されたか否か）がチェックされる（ステップＳＴ７１）。ＳＤカード３０の挿入が検知されない場合（ステップＳＴ７１のＮＯの場合）には、ステップＳＴ７０における表示および音声の出力を継続する。
【０１０１】
一方、ユーザによりＳＤカード３０の挿入が行われ、カード挿抜通知装置１０Ｂ側でのＳＤカード３０の挿入が検知されると（ステップＳＴ７１のＹＥＳの場合）、ステップＳＴ７０におけるユーザにＳＤカード３０の挿入を促す表示および音声の出力を停止するよう、表示出力制御部２１および音声出力制御部２２に対して指示出力を行う（ステップＳＴ７２）。
【０１０２】
すなわち、電子制御部４は、環境検出センサ（環境検出部）６が検出した環境状態が、所定の範囲内でないと判断した場合に、ＳＤカード３０の排出を促す通知を行うよう指示を行い、ＳＤカード３０の排出を検出すると、ＳＤカード３０の排出を促す通知を停止し、その後、環境検出センサ（環境検出部）６が検出した環境状態が所定の範囲内になった場合に、ＳＤカード３０の挿入を促す通知を行うよう指示を行い、ＳＤカード３０の挿入を検出すると、ＳＤカード３０の挿入を促す通知を停止する。
【０１０３】
このように、電子制御部４が、装置内が高温状態のときに温度の閾値（＝Ａ３）をＳＤカード３０の使用温度上限に設定しておくことにより、高温に対してユーザ操作によりＳＤカード３０の排出を実施することで、ＳＤカード３０の使用を止め、高温状態によるＳＤカード３０の損傷を防ぐことができる。
【０１０４】
なお、ここでは装置周辺の環境を検出する環境検出センサ（環境検出部）６として温度センサを用いるものとして説明したが、結露に伴う不具合を検知するために湿度センサを用いたり、振動に伴う不具合を検知するために振動センサを用いたりしてもよい。
【０１０５】
このように、電子制御部４は、ＳＤカード３０の動作を保障する環境にない場合に、ユーザにＳＤカード３０の排出を促して、ユーザがＳＤカード３０の排出操作を行うことにより、ＳＤカード３０の損傷を防止することができる。
【０１０６】
以上のように、この実施の形態５によれば、カードの抜き差しを適切なタイミングでユーザに促すことにより、カードの損傷を未然に防止することができるので、利便性が向上する。
【０１０７】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【０１０８】
１  出力部、２  出力制御部、３  カードソケット、４  電子制御部、５  現在時刻取得部、６  環境検出センサ（環境検出部、温度センサ）、１０，１０Ａ，１０Ｂ  カード挿抜通知装置、１１  表示部、１２  スピーカ（音声出力部）、１３  操作部、２１  表示出力制御部、２２  音声出力制御部、３０  ＳＤカード（カード）、４１  ＣＰＵ、４２  ＲＯＭ、４３  ＲＡＭ。
【図１】
2015069211.tif 000003
【図２】
2015069211.tif 000004
【図３】
2015069211.tif 000005
【図４】
2015069211.tif 000006
【図５】
2015069211.tif 000007
【図６】
2015069211.tif 000008
【図７】
2015069211.tif 000009
【図８】
2015069211.tif 000010
【図９】
2015069211.tif 000011